(57)【要約】【課題】長期間にわたって安定的に優れた光沢感を発揮することができる印刷物の製造に好適に用いることのできるインク組成物を提供すること、また、長期間にわたって安定的に優れた光沢感を発揮することができる印刷物を提供すること。【解決手段】本発明のインク組成物は、インクジェット方式により吐出されるものであって、銀粒子と、式（１）で示される化合物Ａとを含むことを特徴とする。インク組成物中における化合物Ａの含有率が０．００００１質量％以上５．０質量％以下であるのが好ましい。【選択図】なし【特許請求の範囲】
【請求項１】
インクジェット方式により吐出されるインク組成物であって、
銀粒子と、
下記式（１）で示される化合物Ａとを含むことを特徴とするインク組成物。
【化１】
2012056996.tif 000007
【請求項２】
前記化合物Ａの含有率が０．００００１質量％以上５．０質量％以下である請求項１に記載のインク組成物。
【請求項３】
水を含み、
前記水の含有量が５０質量％以上である請求項１または２に記載のインク組成物。
【請求項４】
前記銀粒子の平均粒径が３ｎｍ以上１００ｎｍ以下である請求項１ないし３のいずれかに記載のインク組成物。
【請求項５】
前記銀粒子の含有率が０．５質量％以上３０質量％以下である請求項１ないし４のいずれかに記載のインク組成物。
【請求項６】
固形分の含有率が５０質量％以下である請求項１ないし５のいずれかに記載のインク組成物。
【請求項７】
印刷媒体上に、請求項１ないし６のいずれかに記載のインク組成物をインクジェット法により付与することにより得られたことを特徴とする印刷物。
【発明の詳細な説明】
【技術分野】
【０００１】
本発明は、インク組成物および印刷物に関するものである。
【背景技術】
【０００２】
インクジェット方式の印刷に用いられるインクとしては、一般に、シアン、マゼンタ、イエローおよびブラックのインクを用いて、いわゆるフルカラー画像を形成することが一般に行われている。そして、形成画像の高画質化を図る目的で、インクを多色化（例えば、上記４種のインクに加えて、ライトマゼンタ、ライトシアンのインクを含む６色）が行われている。
【０００３】
しかし、上記のような多色のインクを用いても、金属光沢を表現できないという問題がある。
そこで、近年、金属粒子を用いたインクジェット用インク（金属インク）が提案されている（例えば、特許文献１参照）。
しかし、特許文献１で提案されているインクでは、比較的良好な金属光沢が得られるものの、当該インクを用いて製造された印刷物では、経時的な光沢感の低下（特に、酸化性の条件下における光沢感の低下）が顕著であるという問題があった。
【先行技術文献】
【特許文献】
【０００４】
【特許文献１】特開２００７−２９７４２３号公報
【発明の概要】
【発明が解決しようとする課題】
【０００５】
本発明の目的は、長期間にわたって安定的に優れた光沢感を発揮することができる印刷物の製造に好適に用いることのできるインク組成物を提供すること、また、長期間にわたって安定的に優れた光沢感を発揮することができる印刷物を提供することにある。
【課題を解決するための手段】
【０００６】
このような目的は、下記の本発明により達成される。
本発明のインク組成物は、インクジェット方式により吐出されるインク組成物であって、
銀粒子と、
下記式（１）で示される化合物Ａとを含むことを特徴とする。
【化１】
2012056996.tif 000002
これにより、長期間にわたって安定的に優れた光沢感を発揮することができる印刷物の製造に好適に用いることのできるインク組成物を提供することができる。
【０００７】
本発明のインク組成物では、前記化合物Ａの含有率が０．００００１質量％以上５．０質量％以下であることが好ましい。
これにより、インク組成物を用いて形成される画像の光沢感の耐久性を特に優れたものとすることができる。また、インクジェット方式によるインク組成物の吐出安定性（着弾位置精度、吐出量の安定性等）を特に優れたものとすることができ、長期間にわたって所望の画質の画像をより確実に形成することができる。
【０００８】
本発明のインク組成物では、水を含み、
前記水の含有量が５０質量％以上であることが好ましい。
このようなインクは、非水系（溶剤系）インクに比べて、記録ヘッドに用いられているピエゾ素子等や、印刷媒体に含まれる有機バインダー等への反応性が弱く、溶かしてしまう、腐食するといった不具合が少ない。また、非水系（溶剤系）インクでは、用いた溶剤が高沸点・低粘度であると、乾燥時間が非常にかかるという問題も生ずる。さらに、溶剤系インクに比べて水系インクは臭いも非常に抑えられており、半分以上が水であるので環境にも良いという利点がある。
【０００９】
本発明のインク組成物では、前記銀粒子の平均粒径が３ｎｍ以上１００ｎｍ以下であることが好ましい。
これにより、インク組成物を用いて形成される画像の光沢感（高級感）および光沢感の耐久性を特に優れたものとすることができる。また、インクジェット方式によるインク組成物の吐出安定性（着弾位置精度、吐出量の安定性等）を特に優れたものとすることができ、長期間にわたって所望の画質の画像をより確実に形成することができる。
【００１０】
本発明のインク組成物では、前記銀粒子の含有率が０．５質量％以上３０質量％以下であることが好ましい。
これにより、インク組成物のインクジェット方式による吐出安定性、インク組成物の保存安定性を特に優れたものとすることができる。また、印刷物とされたときの印刷媒体上での銀粒子の密度（単位面積当たりの含有量）が低い場合から高い場合まで、広い密度の範囲で、良好な画質を実現することができる。このため、例えば、インク組成物を用いて得られる印刷物が、銀粒子の密度が異なる領域を有する場合であっても、印刷物の画質を優れたものとすることができる。また、印刷物の耐久性を特に優れたものとすることができる。
【００１１】
本発明のインク組成物では、固形分の含有率が５０質量％以下であることが好ましい。
これにより、インク組成物の吐出安定性を特に優れたものとすることができる。
本発明の印刷物は、印刷媒体上に、本発明のインク組成物をインクジェット法により付与することにより得られたことを特徴とする。
これにより、長期間にわたって安定的に優れた光沢感を発揮することができる印刷物を提供することができる。
【図面の簡単な説明】
【００１２】
【図１】インクジェット装置の概略構成を示す斜視図である。
【発明を実施するための形態】
【００１３】
以下、本発明の好適な実施形態について詳細に説明する。
《インク組成物》
本発明のインク組成物は、インクジェット方式により吐出されるものである。
このようなインク組成物は、その他の印刷法に用いられるインク組成物とは異なり、液滴の吐出安定性が求められる。また、インクジェット法では、インク組成物中の分散物（分散質）の分散状態が、インク組成物の吐出性に大きな影響を与える。このため、インク組成物中における分散物（分散質）の分散状態が経時的に大きく変化するものであると、液滴の吐出量が不安定化し所望の画像を形成するのが困難になる等、他の印刷法では発生し得ない問題がある。
【００１４】
そして、本発明のインク組成物は、銀粒子と、水と、下記式（１）で示される化合物Ａとを含むものである。このように、銀粒子とともに、下記式（１）で示される化合物Ａを含むことにより、インクジェット上での吐出安定性を十分に優れたものとしつつ、長期間にわたって安定的に優れた光沢感を発揮することができる印刷物を好適に製造することができることを、本発明者は見出した。
【００１５】
【化１】
2012056996.tif 000003
【００１６】
（銀粒子）
上述したように、本発明に係るインク組成物は、銀粒子を含むものである。このように、インク組成物が、銀粒子を含むものであることにより（特に、式（１）で示される化合物Ａとともに含むことにより）、優れた金属光沢を有する画像を形成することができる。また、銀は、各種金属の中でも、白色度の高い金属であるため、他色のインクと重ね合わせることにより、金色、銅色等の様々な金属色を表現することができる。
【００１７】
銀粒子の平均粒径は、３ｎｍ以上１００ｎｍ以下であるのが好ましく、２０ｎｍ以上６５ｎｍ以下であるのが好ましい。これにより、インク組成物を用いて形成される画像の光沢感（高級感）および光沢感の耐久性を特に優れたものとすることができる。また、インクジェット方式によるインク組成物の吐出安定性（着弾位置精度、吐出量の安定性等）を特に優れたものとすることができ、長期間にわたって所望の画質の画像をより確実に形成することができる。なお、本明細書では、「平均粒径」とは、特に断りのない限り、体積基準の平均粒径のことを指すものとする。
【００１８】
また、銀粒子の粒径加積曲線における粒径ｄ９０は、５０ｎｍ以上１μｍ以下であるのが好ましい。これにより、インク組成物を用いて形成される画像の光沢感（高級感）および耐擦性を特に優れたものとすることができる。また、インクジェット方式によるインク組成物の吐出安定性（着弾位置精度、吐出量の安定性等）を特に優れたものとすることができ、長期間にわたって所望の画質の画像をより確実に形成することができる。
【００１９】
また、銀粒子の粒径加積曲線における粒径ｄ１０は、２ｎｍ以上２０ｎｍ以下であるのが好ましい。これにより、インク組成物を用いて形成される画像の光沢感（高級感）および耐擦性を特に優れたものとすることができる。また、インクジェット方式によるインク組成物の吐出安定性（着弾位置精度、吐出量の安定性等）を特に優れたものとすることができ、長期間にわたって所望の画質の画像をより確実に形成することができる。
【００２０】
インク組成物中における銀粒子の含有率は、０．５質量％以上３０質量％以下であるのが好ましく、３．０質量％以上１５質量％以下であるのがより好ましい。これにより、インク組成物のインクジェット方式による吐出安定性、インク組成物の保存安定性を特に優れたものとすることができる。また、印刷物とされたときの印刷媒体上での銀粒子の密度（単位面積当たりの含有量）が低い場合から高い場合まで、広い密度の範囲で、良好な画質を実現することができる。このため、例えば、インク組成物を用いて得られる印刷物が、銀粒子の密度が異なる領域を有する場合であっても、印刷物の画質を優れたものとすることができる。また、印刷物の耐久性を特に優れたものとすることができる。
銀粒子は、いかなる方法で調製されたものであってもよく、例えば、銀イオンを含む溶液を用意し、この銀イオンを還元することにより、好適に形成することができる。
【００２１】
（化合物Ａ）
インク組成物は、上記式（１）で示される化合物Ａを含むものである。
本発明は、銀粒子とともに、化合物Ａを含むことにより、インク組成物を用いて得られる印刷物を、長期間にわたって安定的に優れた光沢感を発揮することができるものとすることができる点に特徴を有するものである。
【００２２】
式（１）中、Ｒ１〜Ｒ４は、それぞれ独立に、水素原子、炭素数１以上４以下の置換基または水酸基であるが、いずれも、水素原子であるのが好ましい。これにより、インク組成物を用いて得られる印刷物を、より長期間にわたって安定的に優れた光沢感を発揮することができるものとすることができるとともに、インクジェット法によるインク組成物の吐出安定性を特に優れたものとすることができる。
【００２３】
式（１）中、Ｒ５は、水素原子、炭素数１以上４以下の置換基または水酸基であるが、水素原子であるのが好ましい。これにより、インク組成物を用いて得られる印刷物を、より長期間にわたって安定的に優れた光沢感を発揮することができるものとすることができるとともに、インクジェット法によるインク組成物の吐出安定性を特に優れたものとすることができる。
【００２４】
また、インク組成物中における化合物Ａの含有率は、０．００００１質量％以上５．０質量％以下であるのが好ましく、０．０００１質量％以上４．０質量％以下であるのがより好ましく、０．００５質量％以上３．０質量％以下であるのがさらに好ましい。これにより、インク組成物を用いて形成される画像の光沢感の耐久性を特に優れたものとすることができる。また、インクジェット方式によるインク組成物の吐出安定性（着弾位置精度、吐出量の安定性等）を特に優れたものとすることができ、長期間にわたって所望の画質の画像をより確実に形成することができる。インク組成物は、２種以上の化合物Ａを含むものであってもよいが、このような場合、これら複数種の化合物Ａの含有率の総和が、前記範囲内の値であるのが好ましい。
【００２５】
（水）
本発明にかかるインク組成物は、水を５０質量％以上含有する、いわゆる水系インクであってもよい。水系インクは、非水系（溶剤系）インクに比べて、記録ヘッドに用いられているピエゾ素子等や、印刷媒体に含まれる有機バインダー等への反応性が弱く、溶かしてしまう、腐食するといった不具合が少ない。また、非水系（溶剤系）インクでは、用いた溶剤が高沸点・低粘度であると、乾燥時間が非常にかかるという問題も生ずる。さらに、溶剤系インクに比べて水系インクは臭いも非常に抑えられており、半分以上が水であるので環境にも良いという利点がある。なお、水としては、イオン交換水、逆浸透水、蒸留水、超純水等が挙げられる。
【００２６】
インク組成物中において、水は、主に銀粒子を分散させる分散媒として機能する。インク組成物が水を含むことにより、銀粒子の分散安定性等を優れたものとすることができ、また、後述するような液滴吐出装置のノズル付近でのインク組成物の不本意な乾燥（分散媒の蒸発）を防止しつつ、インク組成物が付与される印刷媒体上での乾燥を速やかに行うことができるため、所望の画像の高速印刷を、長期間にわたって好適に行うことができる。
インク組成物中における水の含有率は、特に限定されないが、２０質量％以上９５質量％以下であるのが好ましく、５０質量％以上８０質量％以下であるのがより好ましい。
【００２７】
（その他の成分）
本発明に係るインク組成物は、上記以外の成分（その他の成分）を含むものであってもよい。
このような成分としては、例えば、１，２−プロパンジオール、１，２−ブタンジオール、１，２−ペンタンジオール、１，２−ヘキサンジオール、エタノール、エチレングリコール、ジエチレングリコール、プロピレングリコール、ジプロピレングリコール、１，３−プロパンジオール、１，４−ブタンジオール等のアルコール類、トリエチレングリコールモノブチルエーテル、トリメチロールプロパン、２−ピロリドン、グリセリン、プロピレングリコール、メチルセルロース、ヘキシレングリコール、糖質（ＨＳ−５００（特殊水飴、株式会社林原商事製）、マルトース、マルチトール、セロビオースなど糖類・糖アルコールを含む）等の保湿剤、アセチレングリコール系界面活性剤（日信化学工業株式会社製オルフィン（Ｒ）Ｅ１０１０、Ａｉｒ  Ｐｒｏｄｕｃｔｓ  ａｎｄ  Ｃｈｅｍｉｃａｌｓ  Ｉｎｃ．製サーフィノール（Ｒ）１０４ＰＧなど）、ポリシロキサン系界面活性剤（ビックケミー・ジャパン株式会社製ＢＹＫ（Ｒ）３４７、ＢＹＫ（Ｒ）３４８など）、等の界面活性剤（フッ素系等他の種類のノニオン系界面活性剤及びアニオン性界面活性剤、両性界面活性剤等のその他の界面活性剤を添加してもよい）、ｐＨ調整剤、浸透剤、有機バインダー、尿素系化合物、アルカノールアミン（トリエタノールアミン等）等の乾燥抑制剤、アセチレングリコール系化合物等の表面張力調整剤、チオ尿素、シリコーン系ワックス等のワックス、防腐剤、ヘッド防錆剤、増粘剤等が挙げられる。
【００２８】
インク組成物が銀粒子、化合物Ａ以外の固形分（以下「その他の固形分」ともいう）を含む場合、インク組成物中におけるその他の固形分の含有率は、５質量％以下であるのが好ましく、１質量％以下であるのが好ましい。
インク組成物中における固形分の含有率は、５０質量％以下であるのが好ましく、３．６質量％以上４０質量％以下であるのがより好ましく、１２質量％以上２７質量％以下であるのがさらに好ましい。これにより、インク組成物の吐出安定性を特に優れたものとすることができる。
【００２９】
また、インク組成物の粘度は、特に限定されないが、２．０ｍＰａ・ｓ以上１２．０ｍＰａ・ｓ以下であることが好ましく、５．０ｍＰａ・ｓ以上１０．０ｍＰａ・ｓ以下であることがより好ましい。これにより、液滴の吐出安定性を優れたものとすることができるとともに、印刷媒体に着弾したインク組成物の不本意な濡れ広がりをより確実に防止することができ、微細な画像であっても好適に形成することができる。
【００３０】
《印刷物》
本発明の印刷物は、印刷媒体上に、上述したようなインク組成物をインクジェット法により付与することにより得られたものである。これにより、長期間にわたって安定的に優れた光沢感を発揮することができる印刷物を提供することができる。
インク組成物が付与される印刷媒体としては、普通紙、インク受理層等を有する専用紙等の紙のほか、例えば、インク組成物が付与される表面を含む領域が、各種プラスチック、セラミックス、ガラス、金属や、これらの複合材料で構成された基材等を用いることができる。
【００３１】
《印刷物の製造方法》
図１は、インクジェット装置（液滴吐出装置）の概略構成を示す斜視図である。
本実施形態の印刷物の製造方法は、図１に示すようなインクジェット装置（液滴吐出装置）を用いて、上述したようなインク組成物を印刷媒体に向けて吐出する工程（液滴吐出工程）を有する。
【００３２】
（吐出工程）
以下に、液滴吐出装置としてのインクジェット式プリンター１を用いた液滴吐出について説明する。
図１に示すように、液滴吐出装置としてのインクジェット式プリンター１は、フレーム２を有している。フレーム２には、プラテン３が設けられ、プラテン３上には、紙送りモーター４の駆動により印刷媒体Ｐが給送されるようになっている。また、フレーム２には、プラテン３の長手方向と平行に、棒状のガイド部材５が設けられている。
【００３３】
ガイド部材５には、キャリッジ６がガイド部材５の軸線方向に往復移動可能に支持されている。キャリッジ６は、フレーム２内に設けられたタイミングベルト７を介して、キャリッジモーター８に連結されている。そして、キャリッジ６は、キャリッジモーター８の駆動により、ガイド部材５に沿って往復移動されるようになっている。
キャリッジ６には、液滴吐出ヘッド９が設けられるとともに、液滴吐出ヘッド９に液体としてのインクを供給するためのインクカートリッジ１０が着脱可能に配置されている。インクカートリッジ１０内のインクは、液滴吐出ヘッド９に備えられた図示しない圧電素子の駆動により、インクカートリッジ１０から印刷ヘッド９へと供給され、液滴吐出ヘッド９のノズル形成面に形成された複数のノズルから、プラテン３上に給送された印刷媒体（基材）Ｐに対して吐出されるようになっている。
これにより印刷物を製造することが可能となる。
【００３４】
（加熱工程）
印刷物の製造方法においては、上述した吐出工程に加え、インク組成物が付与された印刷媒体を過熱する加熱工程を設けてもよい。
本発明に係るインク組成物は、上述したように、分散媒として水を含むものであり、吐出後速やかに乾燥するため、通常、吐出工程の後に、別途、乾燥工程を設ける必要はないが、加熱工程を設けることにより、印刷媒体Ｓが保水性の高いものである場合や、インク組成物が揮発性の低い液体成分を比較的高い含有率で含む場合（例えば、沸点：１６０℃以上の液体成分を３質量％以上含む場合等）であっても、最終的に得られる印刷物中に、インク組成物を構成する液体成分が残存することを効果的に防止することができ、印刷物の耐久性、信頼性を、特に優れたものとすることができる。
以上、本発明について、好適な実施形態に基づいて説明したが、本発明はこれらに限定されるものではない。
【００３５】
例えば、前述した実施形態では、インク組成物として、コロイド液を用いる場合について代表的に説明したが、コロイド液でなくてもよい。
また、例えば、前述した実施形態では、液滴吐出方式としてピエゾ方式を用いたが、これに限定されず、本発明では、例えば、インクを加熱して発生した泡（バブル）によりインクを吐出させる方式など、公知の種々の技術を適用することができる。
また、前述した実施形態では、インク組成物をインクジェット方式による吐出に用いるものとして説明したが、インク組成物は、他の印刷法に適用するものであってもよい。
【実施例】
【００３６】
次に、本発明の具体的実施例について説明する。
［１］インク組成物の調製
（実施例１）
ポリビニルピロリドン（重量平均分子量１００００）を７０℃の条件下で１５時間加熱して、その後室温で冷却をした。そのポリビニルピロリドン（ＰＶＰ）１０００ｇを、エチレングリコール溶液５００ｍｌに添加してＰＶＰ溶液を調整した。別の容器にエチレングリコールを５００ｍｌ入れ、硝酸銀１２８ｇを加えて電磁攪拌器で十分に攪拌をして硝酸銀溶液を調整した。ＰＶＰ溶液を１２０℃の条件下でオーバーヘッドミキサーを用いて攪拌しつつ、硝酸銀溶液を添加して約８０分間加熱して反応を進行させた。そして、その後室温で冷却をさせた。得られた溶液を遠心分離機で２２００ｒｐｍの条件下で１０分間遠心分離を行った。その後、分離が出来た銀粒子を取り出して、余分なＰＶＰを除去するためエタノール溶液５００ｍｌに添加した。そして、さらに遠心分離を行い、銀粒子を取り出した。さらに、取り出した銀粒子を真空乾燥機で３５℃、１．３Ｐａの条件下で乾燥させた。
上記のようにして得られた銀粒子と、化合物Ａとして下記式（２）で示される化合物と、浸透剤としての１、２−ヘキサンジオールと、保湿剤としてのトリメチロールプロパンと、界面活性剤としてのサーフィノール４６５（日信化学工業社製）とを添加し、イオン交換水とを混合することにより、インク組成物とした。
【００３７】
【化２】
2012056996.tif 000004
【００３８】
（実施例２〜１０）
インク組成物の調製に用いる成分の種類、使用量を調整することにより、表１に示すような構成となるようにした以外は、前記実施例１と同様にしてインク組成物を調製した。
（比較例１、２）
インク組成物の調製に用いる成分の種類、使用量を調整することにより、表１に示すような構成となるようにした以外は、前記実施例１と同様にしてインク組成物を調製した。
【００３９】
表１には、前記各実施例および各比較例のインク組成物の構成を示す。なお、表１中、１，２−ヘキサンジオール（浸透剤）を１，２−ＨＤ、トリメチロールプロパン（保湿剤）をＴＭＰ、サーフィノール４６５（日信化学工業社製）をＳ４６５、ｐ−ノニルフェノキシポリグリシドールをＮＰＰＧ、２−メルカプトベンゾチアゾールのナトリウム塩（変色防止剤）をＳＭＢＴ、硫酸アンモニウム（ｐＨ調整剤）をＡＳ、アクリル樹脂の主鎖に、側鎖としてオキサゾリン基を有する水溶性オキサゾリン基含有ポリマー（バインダー樹脂）をＢＲ、グリセリンをＧＬ、プロキセルＸＬ−２をＸＬ−２、ジエチレングリコールモノブチルエーテルをＳ１で示した。また、前記各実施例についてのインク組成物の粘度（振動式粘度計を用いて、ＪＩＳ  Ｚ８８０９に準拠して測定された２５℃における粘度）は、いずれも、５．０ｍＰａ・ｓ以上１０．０ｍＰａ・ｓ以下の範囲内の値であった。また、表１中、Ｈは水素原子を示し、Ｍｅはメチル基を示し、ｎＢｕは、ノルマルブチル基を示し、Ｅｔはエチル基を示し、ＯＨは水酸基を示す。
【００４０】
【表１】
2012056996.tif 000005
【００４１】
［２］印刷物の製造
前記各実施例および各比較例について、インク組成物を用いて、以下のようにして、印刷物を製造した。
まず、印刷媒体としてのインクジェット用専用紙（写真用紙）：写真用紙＜光沢＞（セイコーエプソン社製）を用意した。
【００４２】
この印刷媒体のインク受理層が設けられた面側に、図１に示すような液滴吐出装置を用いて、ｄｕｔｙ：４０％の所定のパターンでインク組成物を付与した。これにより、印刷物が得られた。なお、本明細書において、「ｄｕｔｙ」とは、下式で算出される値である。
ｄｕｔｙ（％）＝実印刷ドット数／（縦解像度×横解像度）×１００
（式中、「実印刷ドット数」は単位面積当たりの実印刷ドット数であり、「縦解像度」および「横解像度」はそれぞれ単位面積当たりの解像度である。）
【００４３】
［３］評価
［３．１］光沢度
前記各実施例および各比較例に係る印刷物の印刷面について、光沢度計（ＭＩＮＯＬＴＡ  ＭＵＬＴＩ  ＧＬＯＳＳ  ２６８）を用い、煽り角度６０°での光沢度を測定し、以下の基準に従い評価した。
Ａ：光沢度が５５０以上。
Ｂ：光沢度が５００以上５５０未満。
Ｃ：光沢度が４５０以上５００未満。
【００４４】
［３．２］耐ガス性（長期安定性）
オゾンウェザーメーターＯＭＳ−Ｈ型（商品名、スガ試験機株式会社製）を用い、温度：２３．０℃、湿度：５０％ＲＨ、およびオゾン濃度：４０ｐｐｍの条件下で、前記各実施例および各比較例に係る印刷物を、１０時間オゾンに曝露した。
その後、上記［３．１］で述べたのと同様の方法により、耐ガス性試験（長期安定性試験）後の印刷物についても光沢度（煽り角度６０°）を測定し、耐ガス性試験前後での光沢度の低下率を求め、以下の基準に従い評価した。
Ａ：光沢度の低下率が１０％未満。
Ｂ：光沢度の低下率が１０％以上１５％未満。
Ｃ：光沢度の低下率が１５％以上２０％未満。
Ｄ：光沢度の低下率が２０％以上２５％未満。
Ｅ：光沢度の低下率が２５％以上３０％未満。
Ｆ：光沢度の低下率が３０％以上３５％未満。
Ｇ：光沢度の低下率が３５％以上。
これらの結果を表２に示した。
【００４５】
【表２】
2012056996.tif 000006
【００４６】
表２から明らかなように、本発明に係る印刷物では、光沢度および耐ガス性（長期安定性）に優れていたのに対し、比較例では、満足のいく結果が得られなかった。
また、本発明に係るインク組成物は、液滴の吐出安定性に優れ、また、保存安定性に優れており、長期間にわたって、安定した液滴吐出を行うことができ、印刷物の製造に好適に用いることができた。
【符号の説明】
【００４７】
１…インクジェット式プリンター（プリンター）  ２…フレーム  ３…プラテン  ４…紙送りモーター  ５…ガイド部材  ６…キャリッジ  ７…タイミングベルト  ８…キャリッジモーター  ９…液滴吐出ヘッド（印刷ヘッド）  １０…インクカートリッジ  Ｐ…印刷媒体（基材）
【図１】
2012056996.tif 000008